(57)【要約】【課題】緩衝効果を有するとともに、開き戸をスムーズに開くこともでき、回転軸を保護することができるドアの緩衝装置およびドア構造を提供する。【解決手段】開き戸３は、上下方向に伸びる回転軸を有して、ドア枠２の内側に開閉可能に設けられている。ドア側磁石１０は、開き戸３の回転軸側の下面９に突出しないよう埋め込まれている。床側磁石１１は、ドア枠２の下枠部上面６に突出しないよう埋め込まれている。床側磁石１１は、開き戸３を閉じたとき、ドア側磁石１０に対し上下方向に反発するよう設けられている。【選択図】図１
2005282279.tif 000002
【特許請求の範囲】
【請求項１】
上下方向に伸びる回転軸を有する開き戸の回転軸側の下端に設けられたドア側磁石と、
前記開き戸を閉じたとき前記ドア側磁石に対し上下方向に反発するよう設けられた床側磁石とを、
有することを特徴とするドアの緩衝装置。
【請求項２】
前記ドア側磁石および前記床側磁石はＮ極またはＳ極を上側または下側に配置してあり、前記ドア側磁石はＮ極とＳ極とを結ぶ直線の下側の延長線が鉛直線に対し前記開き戸の開く方向に傾斜し、前記床側磁石はＮ極とＳ極とを結ぶ直線の上側の延長線が鉛直線に対し前記開き戸の開く方向に傾斜していることを、特徴とする請求項１記載のドアの緩衝装置。
【請求項３】
前記ドア側磁石および前記床側磁石はＮ極またはＳ極を上側または下側に配置してあり、前記ドア側磁石はＮ極とＳ極とを結ぶ直線の下側の延長線が鉛直線に対し前記開き戸の閉じる方向に傾斜し、前記床側磁石はＮ極とＳ極とを結ぶ直線の上側の延長線が鉛直線に対し前記開き戸の開く方向に傾斜していることを、特徴とする請求項１記載のドアの緩衝装置。
【請求項４】
開き戸とドア枠と請求項１，２または３記載のドアの緩衝装置とを有し、前記開き戸は上下方向に伸びる回転軸を有して前記ドア枠の内側に開閉可能に設けられ下端に前記ドア側磁石が突出しないよう埋め込まれ、前記ドア枠は下枠部上面に前記床側磁石が突出しないよう埋め込まれていることを、特徴とするドア構造。
【発明の詳細な説明】
【技術分野】
【０００１】
本発明は、ドアの緩衝装置およびドア構造に関する。
【背景技術】
【０００２】
従来、上下方向に伸びる回転軸を有する開き戸の緩衝装置として、開き戸の回転軸側の上部に油などの流体を利用したドアクローザが取り付けられている（例えば、特許文献１，２参照）。
【０００３】
【特許文献１】特開２０００−１８６４６０号公報
【特許文献２】特開２００２−８１２６１号公報
【発明の開示】
【発明が解決しようとする課題】
【０００４】
しかしながら、従来のドアクローザは、開き戸が閉まるときの緩衝効果は得られるが、開き戸を開くときにはかえって抵抗となるため、余分な力を入れて開かなければならないという課題があった。また、開き戸の自重により回転軸に負担がかかるため、回転軸が傾いて開き戸の開閉が困難になるという課題があった。
【０００５】
本発明は、このような従来の課題に着目してなされたもので、緩衝効果を有するとともに、開き戸をスムーズに開くこともでき、回転軸を保護することができるドアの緩衝装置およびドア構造を提供することを目的とする。
【課題を解決するための手段】
【０００６】
上記目的を達成するために、本発明に係るドアの緩衝装置は、上下方向に伸びる回転軸を有する開き戸の回転軸側の下端に設けられたドア側磁石と、前記開き戸を閉じたとき前記ドア側磁石に対し上下方向に反発するよう設けられた床側磁石とを、有することを特徴とする。
【０００７】
本発明に係るドアの緩衝装置は、開き戸を閉じたときドア側磁石に対し上下方向に反発するよう床側磁石が設けられているため、開き戸が浮いた状態で閉じる。このため、開き戸の回転軸に開き戸の自重がかからず、回転軸を保護することができる。これにより、開き戸の自重により回転軸が傾いて開き戸の開閉が困難になるのを防止することができる。
【０００８】
開き戸を勢いよく閉じるとき、閉じる直前にドア側磁石と床側磁石とが反発するため、その勢いを弱めることができる。このように、緩衝効果を有するため、開き戸が急激に閉じて衝撃音を発するのを防止することができ、指などを挟むのを未然に防いで安全性を高めることができる。また、開き戸を開けるとき、ドア側磁石と床側磁石とが反発するため、開き戸が開く方向に付勢され、スムーズに開くことができる。このように、緩衝効果を有するとともに、開き戸をスムーズに開くこともでき、開き戸の開閉時の障害を減らすことができる。
【０００９】
本発明に係るドアの緩衝装置で、開閉時にドア側磁石および床側磁石が障害にならないよう、ドア側磁石は開き戸の下端に突出しないよう埋め込まれ、床側磁石はその設置面に突出しないよう埋め込まれていることが好ましい。また、ドア側磁石および床側磁石は、永久磁石から成ることが好ましい。この場合、ドア側磁石および床側磁石を半永久的に使用でき、維持管理が不要である。なお、開き戸は、突起状の回転軸を有するピボットタイプや、蝶番により回転するタイプなど、いかなる種類のものであってもよい。
【００１０】
本発明に係るドアの緩衝装置は、前記ドア側磁石および前記床側磁石はＮ極またはＳ極を上側または下側に配置してあり、前記ドア側磁石はＮ極とＳ極とを結ぶ直線の下側の延長線が鉛直線に対し前記開き戸の開く方向に傾斜し、前記床側磁石はＮ極とＳ極とを結ぶ直線の上側の延長線が鉛直線に対し前記開き戸の開く方向に傾斜していてもよい。この場合、ドア側磁石と床側磁石との反発により、常にドア側磁石が開き戸の開く方向に付勢されるため、より強い緩衝効果が得られるとともに、開き戸をよりスムーズに開くことができる。
【００１１】
また、本発明に係るドアの緩衝装置は、前記ドア側磁石および前記床側磁石はＮ極またはＳ極を上側または下側に配置してあり、前記ドア側磁石はＮ極とＳ極とを結ぶ直線の下側の延長線が鉛直線に対し前記開き戸の閉じる方向に傾斜し、前記床側磁石はＮ極とＳ極とを結ぶ直線の上側の延長線が鉛直線に対し前記開き戸の開く方向に傾斜していてもよい。この場合、ドア側磁石と床側磁石との反発により、開き戸が閉じる手前でドア側磁石が付勢される向きが逆転する。すなわち、その開き戸が閉じる手前の位置より開き戸が閉じる側では、ドア側磁石は開き戸が閉じる方向に付勢され、その位置より開き戸が開く側では、ドア側磁石は開き戸が開く方向に付勢される。このため、開き戸が閉じる手前までは緩衝効果を発揮し、閉じるときには付勢力により閉じやすくすることができる。
【００１２】
本発明に係るドア構造は、開き戸とドア枠と本発明に係るドアの緩衝装置とを有し、前記開き戸は上下方向に伸びる回転軸を有して前記ドア枠の内側に開閉可能に設けられ下端に前記ドア側磁石が突出しないよう埋め込まれ、前記ドア枠は下枠部上面に前記床側磁石が突出しないよう埋め込まれていることを、特徴とする。
【００１３】
本発明に係るドア構造は、開き戸を閉じたときドア側磁石に対し上下方向に反発するよう床側磁石が設けられているため、開き戸が浮いた状態で閉じる。このため、開き戸の回転軸に開き戸の自重がかからず、回転軸を保護することができる。これにより、開き戸の自重により回転軸が傾いて開き戸の開閉が困難になるのを防止することができる。
【００１４】
開き戸を勢いよく閉じるとき、閉じる直前にドア側磁石と床側磁石とが反発するため、その勢いを弱めることができる。このように、緩衝効果を有するため、開き戸が急激に閉じて衝撃音を発するのを防止することができ、指などを挟むのを未然に防いで安全性を高めることができる。また、開き戸を開けるとき、ドア側磁石と床側磁石とが反発するため、開き戸が開く方向に付勢され、スムーズに開くことができる。このように、緩衝効果を有するとともに、開き戸をスムーズに開くこともでき、開き戸の開閉時の障害を減らすことができる。
【００１５】
ドア側磁石が開き戸の下端に突出しないよう埋め込まれ、床側磁石がドア枠の下枠部上面に突出しないよう埋め込まれているため、開閉時にドア側磁石および床側磁石が障害にならず、スムーズに開閉することができる。
なお、ドア側磁石および床側磁石は、永久磁石から成ることが好ましい。この場合、ドア側磁石および床側磁石を半永久的に使用でき、維持管理が不要である。
【発明の効果】
【００１６】
本発明によれば、緩衝効果を有するとともに、開き戸をスムーズに開くこともでき、回転軸を保護することができるドアの緩衝装置およびドア構造を提供することができる。
【発明を実施するための最良の形態】
【００１７】
以下、図面に基づき本発明の実施の形態について説明する。
図１乃至図３は、本発明の実施の形態のドアの緩衝装置およびドア構造を示している。
図１に示すように、ドア構造１は、ドア枠２と開き戸３とドアの緩衝装置４とを有している。
【００１８】
ドア枠２は、木製の矩形枠から成り、１対の円柱状の軸材５を有している。各軸材５は、上枠部下面および下枠部上面６の一方の端部に、それぞれの面から垂直に突出して対向して設けられている。
【００１９】
図１（ａ）に示すように、開き戸３は、木製のドア板から成る。開き戸３は、１対の凹部７とドアレバー８とを有し、ドア枠２の内側に設けられている。各凹部７は、各軸材５を嵌合可能な円柱状の穴から成り、上面および下面９のドア枠２の各軸材５に対向する位置に設けられている。開き戸３は、各凹部７を結んだ上下方向に伸びる直線を回転軸として、開閉可能に設けられている。ドアレバー８は、開き戸３の上下方向の中央部で回転軸と反対側の端部に、厚さ方向に貫通して表面および裏面に設けられている。
【００２０】
図１（ｂ）に示すように、ドアの緩衝装置４は、ドア側磁石１０と床側磁石１１とを有している。ドア側磁石１０および床側磁石１１は、同じ大きさの円盤形状の永久磁石から成る。ドア側磁石１０は、開き戸３の回転軸側の下面９で、凹部７より中央部寄りに設けられている。ドア側磁石１０は、Ｎ極を下に向け、開き戸３の下面９に突出しないよう埋め込まれている。床側磁石１１は、ドア枠２の下枠部上面６で、開き戸３を閉じたときドア側磁石１０に対向する位置に設けられている。床側磁石１１は、Ｎ極を上に向け、ドア枠２の下枠部上面６に突出しないよう埋め込まれている。ドア側磁石１０および床側磁石１１は、開き戸３を閉じたとき、Ｎ極同士が向き合って互いに上下方向に反発するよう設けられている。
【００２１】
次に、作用について説明する。
図１（ｂ）に示すように、ドアの緩衝装置４およびドア構造１は、開き戸３を閉じたとき、ドア側磁石１０に対しＮ極同士が向き合って上下方向に反発するよう床側磁石１１が設けられているため、開き戸３が浮いた状態で閉じる。このため、回転軸を構成する各軸材５や開き戸３の各凹部７に開き戸３の自重がかからず、回転軸を保護することができる。これにより、開き戸３の自重により回転軸が傾いて開き戸３の開閉が困難になるのを防止することができる。
【００２２】
開き戸３を勢いよく閉じるとき、閉じる直前にドア側磁石１０と床側磁石１１とが反発するため、その勢いを弱めることができる。このように、緩衝効果を有するため、開き戸３が急激に閉じて衝撃音を発するのを防止することができ、指などを挟むのを未然に防いで安全性を高めることができる。また、開き戸３を開けるとき、ドア側磁石１０と床側磁石１１とが反発するため、開き戸３が開く方向に付勢され、スムーズに開くことができる。このように、緩衝効果を有するとともに、開き戸３をスムーズに開くこともでき、開き戸３の開閉時の障害を減らすことができる。
【００２３】
ドアの緩衝装置４およびドア構造１は、ドア側磁石１０が開き戸３の下面９に突出しないよう埋め込まれ、床側磁石１１がドア枠２の下枠部上面６に突出しないよう埋め込まれているため、開閉時にドア側磁石１０および床側磁石１１が障害にならず、スムーズに開閉することができる。また、ドア側磁石１０および床側磁石１１が永久磁石から成るため、ドア側磁石１０および床側磁石１１を半永久的に使用でき、維持管理が不要である。
【００２４】
なお、図２に示すように、ドアの緩衝装置４およびドア構造１で、ドア側磁石１０はＮ極とＳ極とを結ぶ直線の下側の延長線が鉛直線に対し開き戸３の開く方向に傾斜し、床側磁石１１はＮ極とＳ極とを結ぶ直線の上側の延長線が鉛直線に対し開き戸３の開く方向に傾斜していてもよい。この場合、図２（ａ）に示すように、ドア側磁石１０と床側磁石１１との反発により、常にドア側磁石１０が開き戸３の開く方向に付勢される。このため、図２（ｂ）に示すように、より強い緩衝効果が得られるとともに、開き戸３をよりスムーズに開くことができる。
【００２５】
また、図３に示すように、ドアの緩衝装置４およびドア構造１で、ドア側磁石１０はＮ極とＳ極とを結ぶ直線の下側の延長線が鉛直線に対し開き戸３の閉じる方向に傾斜し、床側磁石１１はＮ極とＳ極とを結ぶ直線の上側の延長線が鉛直線に対し開き戸３の開く方向に傾斜していてもよい。この場合、ドア側磁石１０と床側磁石１１との反発により、開き戸３が閉じる手前の位置Ｘでドア側磁石１０が付勢される向きが逆転する。すなわち、図３（ａ）に示すように、その開き戸３が閉じる手前の位置Ｘより開き戸３が閉じる側では、ドア側磁石１０は開き戸３が閉じる方向に付勢される。また、図３（ｂ）に示すように、その位置Ｘより開き戸３が開く側では、ドア側磁石１０は開き戸３が開く方向に付勢される。このため、開き戸３が閉じる手前の位置Ｘまでは緩衝効果を発揮し、閉じるときには付勢力により閉じやすくすることができる。
【図面の簡単な説明】
【００２６】
【図１】本発明の実施の形態のドア構造の（ａ）開き戸を示す斜視図、（ｂ）開き戸の回転軸側の下端付近を示す開き戸の表面に沿って切断した拡大縦断面図である。
【図２】図１に示すドア構造のドアの緩衝装置の変形例の、ドア側磁石および床側磁石付近を示す開き戸の側面に沿って切断した（ａ）開き戸を閉じた状態の拡大縦断面図、（ｂ）開き戸を閉めるときの状態の拡大縦断面図である。
【図３】図１に示すドア構造のドアの緩衝装置の異なる変形例の、ドア側磁石および床側磁石付近を示す開き戸の側面に沿って切断した（ａ）開き戸を閉じた状態の拡大縦断面図、（ｂ）開き戸を閉めるときの状態の拡大縦断面図である。
【符号の説明】
【００２７】
１    ドア構造
２    ドア枠
３    開き戸
４    ドアの緩衝装置
５    軸材
６    下枠部上面
７    凹部
８    ドアレバー
９    下面
１０  ドア側磁石
１１  床側磁石
【図１】
2005282279.tif 000003
【図２】
2005282279.tif 000004
【図３】
2005282279.tif 000005